(57)【特許請求の範囲】
【請求項１】
円盤状記録媒体を収納するカートリッジ本体と、
上記カートリッジ本体に設けられて、上記カートリッジ本体に収納された円盤状記録媒体を駆動手段が上記カートリッジ本体内に進入するための進入用開口部と、
上記カートリッジ本体に設けられて、上記円盤状記録媒体を記録及び／又は再生手段に臨ませる記録及び／又は再生用開口部と、
それぞれが回動可能で、連続して形成された上記進入用開口部と上記記録及び／又は再生用開口部を開閉する第１及び第２のシャッタ部材と、
上記第１のシャッタ部材の開閉動作を規制するロック部とを備え、
上記第１のシャッタ部材と上記第２のシャッタ部材とは、上記カートリッジ本体を挟んで外方側と内方側に位置して回動可能に配設され、
上記円盤状記録媒体と上記カートリッジ本体の内方側に配設された上記第２のシャッタ部材との間には、外部から上記カートリッジ本体内に進入する塵埃を遮断する仕切り用シートが配設され、上記仕切り用シートは、上記進入用開口部と記録及び／又は再生用開口部に対応して切欠き部が形成され、この切欠き部が上記記録及び／又は再生用開口部の開口内に突出して設けられており、
上記ロック部による上記第１のシャッタ部材の回動規制が解除されると、上記第１のシャッタ部材が回動し、上記第１のシャッタ部材の回転動作に連動して上記第２シャッタ部材が回動し、上記進入用開口部と記録及び／又は再生用開口部を開放するディスクカートリッジ。
【請求項２】
上記第１のシャッタ部材と上記第２のシャッタ部材とを連動させる連動手段を有し、上記第２のシャッタ部材は、上記連動手段を介して上記第１のシャッタ部材の回動に連動して回動する請求項１記載のディスクカートリッジ。
【請求項３】
上記第１のシャッタ部材には、円盤状記録媒体を回転駆動するための駆動手段が上記カートリッジ本体内に進入するための進入用切欠き部が形成されている請求項１又は請求項２記載のディスクカートリッジ。
【請求項４】
上記カートリッジ本体の内方側に配設された上記第２のシャッタ部材には、上記カートリッジ本体の内面に回動自在に支持される回動支持部が一体に形成されている請求項１乃至請求項３のうち何れか１項記載のディスクカートリッジ。
【請求項５】
上記回動支持部は、上記カートリッジ本体の内面に設けられた回動支持穴に対して係合される請求項４記載のディスクカートリッジ。
【発明の詳細な説明】
【０００１】
【発明の属する技術分野】
本発明は、例えば、光ディスクや光磁気ディスク等の円盤状記録媒体が収納されたディスクカートリッジに関する。
【０００２】
【従来の技術】
情報の記録及び／又は再生が可能な円盤状記録媒体がカートリッジ本体内に収納されたディスクカートリッジが知られている。この種のディスクカートリッジとして、例えば図１６に示すようなディスクカートリッジ１０１は、一組の上下ハーフを組み合わせて構成されるカートリッジ本体１０５と、このカートリッジ本体１０５内に回転可能に収納された光磁気ディスク１０６とを備えている。
【０００３】
カートリッジ本体１０５には、図１６及び図１７に示すように、カートリッジ本体１０５内に収納された光磁気ディスク１０６の信号記録領域の一部を外部に外部に臨ませるための記録再生用開口部１０７，１０７が相対向する位置にそれぞれ設けられている。この記録再生用開口部１０７は、カートリッジ本体１０５に移動可能に設けられたシャッタ部材１１０により開閉可能とされている。また、シャッタ部材１１０は、カートリッジ本体１０５内に設けられた図示しない捻りコイルバネによって、記録再生用開口部１０７を閉塞する方向に付勢されている。
【０００４】
また、カートリッジ本体１０５には、図１７に示すように、下ハーフの中央部に、記録再生装置に装填された際に、光磁気ディスク１０６を回転駆動するターンテーブルが進入するための円形状のテーブル進入用開口部１０８が設けられている。また、カートリッジ本体１０５には、図１６に示すように、上ハーフの主面上に、記録再生装置に対する装填方向を示す表示１０９が設けられている。
【０００５】
このカートリッジ本体１０５内に収納された光磁気ディスク１０６は、図１８に示すように、中心穴を有する円盤状に形成されており、例えば直径が８０ｍｍに形成されている。光磁気ディスク１０６は、中心穴に、フランジ部を有する金属製のセンターハブ１０６ａが設けられており、カートリッジ本体１０５のテーブル進入用開口部１０８からセンターハブが露呈されている。光磁気ディスク１０６は、記録再生装置に装填された際、センターハブ１０６ａがターンテーブルに設けられたマグネットによって吸着されて、ターンテーブル上に載置されて保持される。
【０００６】
また、例えばＣＤ（コンパクト・ディスク）等の光学ディスクは、図１９に示すようなディスクケース１２０内に収納されて利用されている。図１９に示すように、ディスクケース１２０は、光学ディスク１２６を収納する収納部１２７を有するケース本体１２５と、このケース本体１２５の収納部に開閉可能に設けられた蓋体１２８とを有している。
【０００７】
ケース本体１２５には、収納部に収納された光学ディスク１２６を挿脱するために、収納部に蓋体１２８が開閉可能に設けられている。蓋体１２８には、内方側の主面の中央部に、光学ディスク１２６の中央部を保持するためのディスク保持部材１２９が配設されている。この蓋体１２８は、ケース本体１２５に設けられた係合爪１３１，１３１に係合されることにより、ケース本体１２５に対して閉塞された状態で保持される。
【０００８】
また、ケース本体１２５には、図２０に示すように、底面部の中央部に、記録再生装置に装填された際に光学ディスク１２６を回転駆動するターンテーブルが進入するためのテーブル進入用開口部１３５が設けられている。また、ケース本体１３５には、図２０及び図２１に示すように、収納部に収納された光学ディスク１２６の信号記録領域を記録再生装置側の記録再生手段に臨ませるための記録再生用開口部１３６が、光学ディスク１２６の半径方向に亘って形成されている。この記録再生用開口部１３６は、テーブル進入用開口部１３５に連設されている。
【０００９】
記録再生用開口部１３６は、図２０及び図２１に示すように、ケース本体１２５に移動可能に設けられたシャッタ部材１３２により開閉可能とされている。シャッタ部材１３２は、図１９及び図２０に示すように、ケース本体１２５の幅方向の両側にそれぞれ移動可能に設けられている。また、図１９に示すように、ケース本体１２５には、記録再生装置に対する装填方向を示す表示１３３が設けられている。
【００１０】
【発明が解決しようとする課題】
ところで、上述した従来のディスクカートリッジ１０１やディスクケース１２０は、いずれもカートリッジ本体又１０５はケース本体１２５が略方形状に形成されているため、カートリッジ本体１０５内又はケース本体１２５内に収納された光磁気ディスク１０６又は光学ディスク１２６が、カートリッジ本体１０５又はケース本体１２６内で占める面積より大きな面積を有している。すなわち、従来のディスクカートリッジやディスクケースは、特に光磁気ディスクの外周部とカートリッジ本体１０５又はケース本体１２５内のコーナ部との間に不要がスペースが設けられている（以下、便宜上ディスクカートリッジ１０１についてのみ述べるが、ディスクケース１２０についても同様とされる）。
【００１１】
また、従来のディスクカートリッジ１０１が装填される例えば携帯型の記録再生装置においては、ディスクカートリッジ１０１全体の投影面積をすべて覆う必要があるため、ディスクカートリッジ１０１単体と比較して、記録再生装置全体が更に大型化してしまい、可搬性が低下してしまうという不都合があった。すなわち、従来のディスクカートリッジ１０１は、携帯性が乏しいという問題点があった。
【００１２】
一方、ディスクカートリッジ１０１は、カートリッジ本体１０５から光磁気ディスク１０６を取り出して光磁気ディスク１０６を単体で扱う場合、光磁気ディスク１０６の信号記録面に塵や指紋等が付着する機会が増えるため、記録再生時にエラーを発生しやすくなるという問題がある。特に、高記録密度化が図られた円盤状記録媒体は、微小は塵埃の影響を受けるという大きな問題がある。
【００１３】
したがって、ディスクカートリッジ１０１は、カートリッジ本体１０５の小型化を図る必要があり、カートリッジ本体１０５に収納される光磁気ディスク１０６の外径に沿ってカートリッジ本体１０５を円形状に小型化することが考慮される。
【００１４】
しかしながら、主面が円形状のカートリッジ本体に、直線的に平行移動するシャッタ部材を有するシャッタ機構を配設することが困難であるという問題がある。回転型のシャッタ部材を有するシャッタ機構を備える場合、この種のシャッタ機構は、シャッタ部材の回転中心を回転自在に支持するリング状のガイド部材が必要となる。このため、回転型のシャッタ機構を備えるディスクカートリッジは、カートリッジ本体に設けられた記録再生用開口とテーブル進入用開口部が分離された形状にせざるを得なかった。
【００１５】
ディスクカートリッジは、記録再生用開口部とテーブル進入用開口部が別々に分離されてしまうことによって、記録再生用開口部とテーブル進入用開口部とを分離する枠部が、円盤状記録媒体に対する記録再生手段の移動範囲が制限されてしまうという不都合が生じてしまう。
【００１６】
そこで、本発明は、カートリッジ本体の小型化を実現することができるディスクカートリッジを提供することを目的とする。
【００１７】
【課題を解決するための手段】
上述した目的を達成するため、本発明に係るディスクカートリッジは、円盤状記録媒体を収納するカートリッジ本体と、上記カートリッジ本体に設けられて、上記カートリッジ本体に収納された円盤状記録媒体を駆動手段が上記カートリッジ本体内に進入するための進入用開口部と、上記カートリッジ本体に設けられて、上記円盤状記録媒体を記録及び／又は再生手段に臨ませる記録及び／又は再生用開口部と、それぞれが回動可能で、連続して形成された上記進入用開口部と上記記録及び／又は再生用開口部を開閉する第１及び第２のシャッタ部材と、上記第１のシャッタ部材の開閉動作を規制するロック部とを備える。上記第１のシャッタ部材と上記第２のシャッタ部材とは、上記カートリッジ本体を挟んで外方側と内方側に位置して回動可能に配設され、上記円盤状記録媒体と上記カートリッジ本体の内方側に配設された上記第２のシャッタ部材との間には、外部から上記カートリッジ本体内に進入する塵埃を遮断する仕切り用シートが配設され、上記仕切り用シートは、上記進入用開口部と記録及び／又は再生用開口部に対応して切欠き部が形成され、この切欠き部が上記記録及び／又は再生用開口部の開口内に突出して設けられている。そして、上記ロック部による上記第１のシャッタ部材の回動規制が解除されると、上記第１のシャッタ部材が回動し、上記第１のシャッタ部材の回転動作に連動して上記第２シャッタ部材が回動し、上記進入用開口部と記録及び／又は再生用開口部を開放する。
【００１８】
以上のように構成したディスクカートリッジは、カートリッジ本体に連続して形成された記録及び／又は再生用開口部と進入用開口部を第１及び第２のシャッタ部材が回動することによって開閉する。このディスクカートリッジは、進入用開口部と記録及び／又は再生用開口部とが連続して形成されており、記録及び／又は再生用開口部内を移動する記録及び／又は再生手段の移動範囲を制限することがなく、且つカートリッジ本体が小型化される。また、円盤状記録媒体と上記カートリッジ本体の内方側に配設された第２のシャッタ部材との間に配設された仕切り用シートの切欠き部が上記記録及び／又は再生用開口部の開口内に突出して設けられることで、第１及び第２のシャッタ部材に付着した塵埃が、カートリッジ本体内に進入することを確実に防止することができる。
【００１９】
【発明の実施の形態】
以下、本発明の具体的な実施形態について、ディスクカートリッジを図面を参照して説明する。図１に示すように、ディスクカートリッジ１は、情報記録媒体である光磁気ディスク６と、この光磁気ディスク６を内部に収納するカートリッジ本体８とを備えている。
【００２０】
光磁気ディスク６は、例えば直径１２０ｍｍに形成されており、中心穴が形成されている。光磁気ディスク６の中心穴には、金属製のセンターハブが配設されている。
【００２１】
カートリッジ本体８は、例えば樹脂材料により成形された略円形浅皿状の上ハーフ１１と下ハーフ１２とを突き合わせて結合することによって全体略薄箱状に形成されている。
【００２２】
カートリッジ本体８は、図２、図３及び図４に示すように、光磁気ディスク６を回転する記録再生装置側のターンテーブル１０がカートリッジ本体８内に進入するためのテーブル進入用開口部１５と、記録再生装置側の記録再生手段に光磁気ディスク６の信号記録領域の一部を臨ませるための記録再生用開口部１６とを有している。
【００２３】
テーブル進入用開口部１５は、下ハーフ１２の主面の中央部に略円形状に形成されている。ディスクカートリッジ１は、図４に示すように、記録再生装置に装填された際、記録再生装置側のターンテーブル１０がテーブル進入用開口部１５からカートリッジ本体８内に挿入される。ディスクカートリッジ１は、ターンテーブル１０上に突設された位置決め部１０ａが光磁気ディスク６の中心穴に挿入されて、位置決め部１０ａの先端に配設されたマグネット１０ｂによって、光磁気ディスク６のセンターハブ６ａが吸着保持される。そして、光磁気ディスク６は、ターンテーブル１０の載置面１０ｃ上に載置される。
【００２４】
記録再生用開口部１６は、下ハーフ１２に、光磁気ディスク６の半径方向に亘って形成されており、一端部がテーブル進入用開口部１５に連設されている。また、この記録再生用開口部１６の他端部は、下ハーフ１２の外周部に開口されて形成されている。
【００２５】
そして、ディスクカートリッジ１は、これら記録再生用開口部１６及びテーブル進入用開口部１５をそれぞれ開閉するためのシャッタ機構１８を備えている。
【００２６】
シャッタ機構１８は、図２、図５及び図６に示すように、記録再生用開口部１６を開閉する第１のシャッタ部材２１と、テーブル進入用開口部１５を開閉するための第２のシャッタ部材２２と、これら第１のシャッタ部材２１と第２のシャッタ部材２２を連動させるための連結部材２３と、この連結部材２３を回動方向に付勢する捻りコイルバネ２４とを有している。
【００２７】
第１のシャッタ部材２１は、下ハーフ１２の外方側に、図２及び図３中矢印ａ1 方向及びａ2 方向に回動可能に配設されている。この第１のシャッタ部材２１は、例えば金属材料によって形成されており、図２に示すように、略Ｃ字状をなす平板状の第１の摺動部２６と、この第１の摺動部２６の一端に一体に連設された略矩形状をなす平板状の第２の摺動部２７とを有している。
【００２８】
第１の摺動部２６には、図２及び図３に示すように、記録再生装置側のターンテーブル１０がカートリッジ本体８内に進入するためのテーブル進入用切欠き部２６ａが形成されている。第１の摺動部２６には、図３に示すように、カートリッジ本体８のテーブル進入用開口部１５の内周部に摺動可能に係合する摺動ガイド片２８が、外周部に亘って形成されている。また、第１の摺動部２６の主面には、第１のシャッタ部材２１を回動操作するための記録再生装置側の図示しないシャッタ駆動ピンが係合する長穴状の回動操作用穴２９が形成されている。
【００２９】
また、第１のシャッタ部材２１には、図３及び図５に示すように、第２の摺動部２７の先端部に、上ハーフ１１に設けられたガイド溝３１に係合するガイド片３０が一体に形成されている。このガイド片３０の先端部には、ガイド爪３０ａが形成されており、このガイド爪３０ａがガイド溝３１内に移動自在に挿入されている。
【００３０】
第２のシャッタ部材２２は、下ハーフ１２の内方側に、図２及び図３中矢印ｂ1 方向及びｂ2 方向に回動可能に配設されている。この第２のシャッタ部材２２は、図２、図３及び図５に示すように、例えば、合成樹脂や金属材料によって平板状に形成されており、下ハーフ１２の内方側の底面上に設けられた略扇状のガイド凹部３３内に摺動可能に配設されている。第２のシャッタ部材２２には、図５及び図６に示すように、一方の主面上の一端部に、下ハーフ１２に回動自在に支持される回動支持突部３４が一体に形成されている。第２のシャッタ部材２２は、回動支持突部３４が下ハーフ１２のガイド凹部３３内に設けられた回動支持穴３５に挿入されることにより、図３及び図５中矢印ｂ1 方向及びｂ2 方向に回動自在に支持されている。また、第２のシャッタ部材２２には、連結部材２３に対向する面上に、連結部材２３と連結される連結突部３６が一体に立設されている。
【００３１】
連結部材２３は、図５及び図６に示すように、略Ｃ字状を呈する平板状に形成されており、内周部に記録再生装置側のターンテーブル１０がカートリッジ本体８内に進入するためのテーブル進入用切欠き部２３ａが形成されている。連結部材２３には、下ハーフ１２のテーブル進入用開口部１５の内周に亘って形成されたガイド部１５ａに摺動自在に係合する摺動ガイド片３７が、第２のシャッタ部材２２に対向する面側の外周部に亘って一体に形成されている。したがって、連結部材２３は、摺動ガイド片３７が、下ハーフ１２のガイド部１５ａに係合されて、図５中矢印ａ1 方向及び矢印ａ2 方向に摺動可能に支持される。
【００３２】
また、連結部材２３には、外周方向の略中央部に捻りコイルバネ２４の一端が取り付けられるバネ取付け凹部３８が形成されている。また、下ハーフ１２の内方側の底面部には、捻りコイルバネ２４の他端が取り付けられるバネ取付け部３９が形成されており、このバネ取付け部３９に取付けビス４０を介して固定されている。
【００３３】
また、連結部材２３には、第２のシャッタ部材２２に対向する主面上には、図６に示すように、第２のシャッタ部材２２と連結される連結穴４１が設けられている。連結部材２３は、連結穴４１に第２のシャッタ部材２２の連結突部３６が挿通されることにより、第２のシャッタ部材２２と連動する。また、連結部材２３の主面には、図６に示すように、第１のシャッタ部材２１の回動操作用穴２９と対向する位置に回動操作用穴４２が設けられている。
【００３４】
捻りコイルバネ２４は、一端が連結部材２３のバネ取付け凹部３８上に取付けビス４０を介して固定されており、他端が下ハーフ１２の底面部に形成されたバネ取付け部３９に取付けビス４０を介して固定されている。そして、この捻りコイルバネ２４は、中央部が移動可能に配設されており、弾性力によって連結部材２３を図５中矢印ａ2 方向に回動させるように付勢している。したがって、シャッタ機構１８は、捻りコイルバネ２４の弾性力によって、第１及び第２のシャッタ部材２１，２２が、テーブル進入用開口部１５及び記録再生用開口部１６をそれぞれ閉塞している。
【００３５】
そして、連結部材２３は、第１のシャッタ部材２１の第１の摺動部２６と互いに外形を対応させて、回動操作穴４２を、第１のシャッタ部材２１の回動操作穴２９に対向させるとともに、摺動ガイド片３７を下ハーフ１１のガイド部３６に摺動自在に係合させた状態で、第１のシャッタ部材２１に主面が接着剤等により接合固定されている。
【００３６】
また、第１のシャッタ部材２１のガイド片３０には、第１のシャッタ部材２１の開閉動作を規制するためのロック部４３が設けられている。このロック部４３は、図３、図５及び図６に示すように、下ハーフ１２の記録再生用開口部１６に係合するロック爪４４と、このロック爪４４を記録再生用開口部１６に係合させる方向に付勢する板バネ４５と、ロック爪４４を移動操作するための押込み操作片４６とを有している。
【００３７】
ロック爪４４は、ガイド片３０上に回動可能に配設されており、ガイド片３０に設けられた図示しない開口部内に先端部が挿通自在に設けられている。板バネ４５は、ガイド片３０上に配設されており、弾性力によってロック爪４４の先端部を記録再生用開口部１６の一部に係合させている。押込み操作片４６は、一部を外方に臨ませてガイド片３０上に配設されている。押込み操作片４６は、板バネ４５の弾性力に抗して押込み操作されることによって、ロック爪４４を回動操作して、ロック爪４４の先端部と記録再生用開口部１６との係合状態を解除する。
【００３８】
また、ディスクカートリッジ１は、カートリッジ本体８内に、シャッタ機構１８の第２のシャッタ部材２２と、光磁気ディスク６の信号記録面との間に、光磁気ディスク６の汚損を防止するための仕切り用シート４８が配設されている。
【００３９】
仕切り用シート４８は、図５及び図６に示すように、例えば不織布等によって円盤状に形成されており、下ハーフ１２に形成されたテーブル進入用開口部１５及び記録再生用開口部１６に対応した形状の切欠き部４８ａ，４８ｂが、外周部から中央部に亘って連続して切欠き形成されている。
【００４０】
仕切り用シート４８の切欠き部４８ａ，４８ｂは、図３に示すように、カートリッジ本体８の記録再生用開口部１６及び第１のシャッタ部材２１のテーブル進入用切欠き部２６ａの開口寸法よりやや小とされて切り欠かれている。したがって、仕切り用シート４８は、図３に示すように、テーブル進入用切欠き部２６ａ及び記録再生用開口部１６の内側に僅かにそれぞれ突出されており、第１及び第２のシャッタ部材２１，２２に付着した塵埃が、カートリッジ本体８内に進入することを確実に防止している。
【００４１】
また、仕切り用シート４８の外周部には、図５及び図６に示すように、仕切り用シート４８の移動を規制するための略矩形状の規制用突部４８ｃが一体に形成されている。仕切り用シート４８は、規制用突部４８ｃが、下ハーフ１２の内周部に形成された係合凹部４９に係合されることにより移動が規制された状態で所定の位置に配設される。
【００４２】
さらに、仕切り用シート４８は、第２のシャッタ部材２２に重ねられて配設されたことによって、第２のシャッタ部材２２が下ハーフ１２から脱落することも防止している。
【００４３】
上述したように、シャッタ機構１８は、下ハーフ１２上に第２のシャッタ部材２２や仕切り用シート４８を所定の位置に載置するのみで容易に組み付けることができるため、組立性の向上が図られている。
【００４４】
以上のように構成されたディスクカートリッジ１について、シャッタ機構１８が記録再生用開口部１６及びテーブル進入用開口部１５をそれぞれ開閉する動作を図面を参照して説明する。
【００４５】
まず、シャッタ機構１８は、図７及び図８に示すように、記録再生装置に装填された際に、第１のシャッタ部材２１に設けられたロック部４３の押込み操作片４６が記録再生装置側のロック解除手段によって押込み操作されて、第１のシャッタ部材２１の規制状態が解除されて回動可能とされる。
【００４６】
シャッタ機構１８は、第１のシャッタ部材２１の回動操作穴２９に記録再生装置側のシャッタ駆動ピンが挿入されて、捻りコイルバネ２４の弾性力に抗して第１のシャッタ部材２１が図７中矢印ａ1 方向に回動される。
【００４７】
シャッタ機構１８は、第１のシャッタ部材２１が回動されることに伴って連結部材２３を回動させて、連結部材２３が回動することに伴って第２のシャッタ部材２２を回動させる。
【００４８】
シャッタ機構１８は、図８に示すように、第２のシャッタ部材２２が矢印ｂ1 方向に回動することによりテーブル進入用開口部１５を開放するとともに、第１のシャッタ部材２１が矢印ａ1 方向に回動することにより記録再生用開口１６を開放する。
【００４９】
また、シャッタ機構１８は、図７に示すように、捻りコイルバネ２４の付勢力によって、第２のシャッタ部材２２が矢印ｂ2 方向に回動されてテーブル進入用開口部１５が閉塞されるとともに、第１のシャッタ部材２１が矢印ａ2 方向に回動されて記録再生用開口部１６が閉塞される。
【００５０】
また、カートリッジ本体８には、図１に示すように、上ハーフ１１の主面上に、記録再生装置に対する装填方向を示す表示１０が設けられている。また、カートリッジ本体８の側面部には、記録再生装置側のカートリッジ保持機構によって掴まれるための凹部８ａ，８ｂが切欠き形成されている。
【００５１】
さらに、カートリッジ本体８には、図１及び図２に示すように、光磁気ディスク６に記録された情報信号を誤って消去することを防止するための誤記録防止部材１３が、カートリッジ本体８に設けられたガイド溝に移動可能に配設されている。また、カートリッジ本体８の下ハーフ１２には、幅方向の両側に、記録再生装置内のカートリッジ装填位置に位置決めするための位置決め用穴１４ａ，１４ｂがそれぞれ設けられている。
【００５２】
また、ディスクカートリッジ１のカートリッジ本体８は、図１に示すように、光磁気ディスク６の記録内容等を表示するためのラベル表示部１７を備えている。ラベル表示部１７は、図１に示すように、上ハーフ１１上に突設されており、印字情報が記録される印字記録媒体１７ａと、この印字記録媒体１７ａを収納する収納部１７ｂとを有している。印字記録媒体１７ａは、感熱記録層と、この感熱記録層を保護するための保護層とを有している。
【００５３】
印字記録媒体１７ａは、ディスクカートリッジ１が記録再生装置内に装填される際に、収納部１７ｂから引き出されて、印字記録領域に印字ヘッドにより印字情報が印字される。また、印字記録媒体１７ａには、一端部に、収納部１７ｂに対して印字記録媒体１７ａを挿脱するための挿脱用操作片１７ｃが、印字記録媒体の幅方向に両端が突出されて設けられている。収納部１７ｂに収納された印字記録媒体１７ａは、挿脱用操作片１７ｃが収納部１７ｂから突出されるため、挿脱用操作片１７ｃを介して容易に挿脱することができる。なお図示しないが、記録再生装置には、ディスクカートリッジ１が装填された際に、カートリッジ本体８の収納部１７ｂに対して印字記録媒体１７ａを挿脱するラベル操作手段が設けられている。
【００５４】
また、収納部１７ｂには、収納された印字記録媒体１７ａの印字領域に対応する位置に形成された開口部に、透明な樹脂材料によって形成された表示窓板１７ｄが配設されている。したがって、収納部１７ｂ内に収納された印字記録媒体１７ａは、表示窓板１７ｄを介して目視することが可能とされている。さらに、ラベル表示部１７の主面上には、収録内容を示す例えば紙製の表示シート１７ｅが必要に応じて貼り付けられている。
【００５５】
また、ディスクカートリッジ１のカートリッジ本体８は、図１に示すように、ディスクカートリッジ１の仕様等を表示する仕様表示部１９を備えている。この仕様表示部１９は、図１、図２及び図５に示すように、記録再生装置側の駆動ピン２０や指等によって回動される回動部材１９ａと、この回動部材１９ａによって巻き取られるスリップシート１９ｂと、このスリップシート１９ｂによって移動された位置で仕様を示すインジケータ１９ｃと、このインジケータ１９ｃによって示される表示等が設けられた表示窓部材１９ｄとを有している。
【００５６】
上述したように、ディスクカートリッジ１は、円形状のカートリッジ本体８に設けられたテーブル進入用開口部１５及び記録再生用開口部１６をシャッタ機構１８によって確実に開閉することができるため、カートリッジ本体８の小型化を実現することができる。
【００５７】
つぎに、上述したディスクカートリッジ１に比較して小径の光磁気ディスクを収納した他のディスクカートリッジについて図面を参照して説明する。図９及び図１０に示すように、このディスクカートリッジ２は、光磁気ディスク７と、この光磁気ディスク７を収納するカートリッジ本体６０とを備えている。
【００５８】
光磁気ディスク７は、例えば直径８０ｍｍに形成されており、中心穴が形成されている。光磁気ディスク７の中心穴には、金属製のセンターハブ７ａが配設されている。
【００５９】
カートリッジ本体６０は、例えば樹脂材料により形成された略円形浅皿状の上下ハーフ６１，６２を突き合わせて結合することによって形成されている。
【００６０】
カートリッジ本体６０は、図９、図１０及び図１１に示すように、光磁気ディスク７を回転する記録再生装置側のターンテーブルがカートリッジ本体６０内に進入するためのテーブル進入用開口部６５と、記録再生装置側の記録再生手段に光磁気ディスク７の信号記録領域の一部を臨ませるための記録再生用開口部６６とを有している。
【００６１】
テーブル進入用開口部６５は、下ハーフ６２の主面の中央部に円形状に形成されている。記録再生用開口部６６は、下ハーフ６２に、光磁気ディスク７の半径方向に亘って形成されており、一端部がテーブル進入用開口部６５に連設されている。また、この記録再生用開口部６６の他端部は、下ハーフ６２の外周部に開口されて形成されている。
【００６２】
そして、ディスクカートリッジ２は、これら記録再生用開口部６６及びテーブル進入用開口部６５をそれぞれ開閉するためのシャッタ機構６８を備えている。
【００６３】
シャッタ機構６８は、図１０、図１１及び図１２に示すように、記録再生用開口部６６を開閉する第１のシャッタ部材７１と、テーブル進入用開口部６５を開閉するための第２のシャッタ部材７２及び第３のシャッタ部材７３とを有している。
【００６４】
第１のシャッタ部材７１は、下ハーフ６２の外方側に、図１２及び図１３中矢印ｄ1 方向及びｄ2 方向に移動可能に配設されている。第１のシャッタ部材７１は、図１０に示すように、例えばアルミニウム等の金属材料によって形成されており、略Ｃ字状を呈する平板状の第１の摺動部７６と、この第１の摺動部７６の一端に一体に連設された略矩形をなす平板状の第２の摺動部７７とを有している。
【００６５】
第１の摺動部７６には、図１０及び図１３に示すように、記録再生装置側のターンテーブルがカートリッジ本体６０内に進入するためのテーブル進入用切欠き部７６ａが形成されている。第１の摺動部７６には、図１０に示すように、カートリッジ本体６０のテーブル進入用開口部６５の内周部に摺動可能に係合する摺動ガイド片７８が、外周部に亘って形成されている。また、第１の摺動部７６の主面には、第１のシャッタ部材７１を回動操作するための記録再生装置側の図示しないシャッタ駆動ピンが係合する長穴状の回動操作用穴７９が形成されている。
【００６６】
また、第１のシャッタ部材７１の第１の摺動部７６には、第２及び第３のシャッタ部材７２，７３と連動するために、略Ｓ字状のカム溝８０が形成されている。
【００６７】
第２の摺動部７７の先端部には、上ハーフ６１の外周部に設けられたガイド溝８２に係合するガイド片８１が一体に形成されている。このガイド片８１の先端部には、ガイド爪８１ａが形成されており、ガイド爪８１ａがガイド溝８２内に移動自在に挿入されている。
【００６８】
第２のシャッタ部材７２は、下ハーフ６２の内方側に、図１２及び図１３中矢印ｅ1 方向及びｅ2 方向に回動可能に配設されている。この第２のシャッタ部材７２は、図１２及び図１３に示すように、例えば合成樹脂や金属材料によって平板状に形成されている。
【００６９】
第２のシャッタ部材７２は、一方の主面上の一端部に、下ハーフ６２に回動自在に支持される回動支持突部８４が一体に形成されている。第２のシャッタ部材７２は、回動支持突部８４が下ハーフ６２のガイド凹部８３内に設けられた回動支持穴８５に挿入されることにより、図１２中矢印ｄ1 方向及びｄ2 方向に回動自在に支持されている。また、第２のシャッタ部材７２の主面には、第１及び第３のシャッタ部材７１，７３と連動するために、略円弧状のカム溝８６が形成されている。
【００７０】
第３のシャッタ部材７３は、図１２及び図１３に示すように、下ハーフ６２の内方側に第２のシャッタ部材７２に重ねられて配設されており、図１２及び図１３中矢印ｅ1 方向及びｅ2 方向に回動可能に配設されている。この第３のシャッタ部材７３は、図１２及び図１３に示すように、例えば合成樹脂や金属材料によって平板状に形成されている。
【００７１】
第３のシャッタ部材７３は、下ハーフ６２に対向する一方の主面上の一端部に、回動支持突部８７が一体に形成されている。第３のシャッタ部材７３は、回動支持突部８７が下ハーフ６２のガイド凹部８３内に設けられた回動支持穴８８に挿入されることにより、図１２及び図１３中矢印ｅ1 方向及びｅ2 方向に回動自在に支持されている。また、第３のシャッタ部材７３は、第２のシャッタ部材７２に対向する主面に、カム突部８９が一体に形成されており、このカム突部８９が第２のシャッタ部材７２のカム溝８６に挿通されている。
【００７２】
また、第１のシャッタ部材７１のガイド片８１には、図示しないが、第１のシャッタ部材７１の開閉動作を規制するためのロック部が設けられている。このロック部は、図示しないが、記録再生用開口部に係合するロック爪と、このロック爪を記録再生用開口部に係合させるように付勢する板バネと、ロック爪を移動操作するための押込み操作片とを有している。
【００７３】
また、カートリッジ本体６０内には、シャッタ機構６８の第２及び第３のシャッタ部材７２，７３と、光磁気ディスク７の信号記録面との間に、光磁気ディスク７の汚損を防止するための切欠き用シート９１が配設されている。
【００７４】
仕切り用シート９１は、図１２に示すように、例えば不織布等によって円盤状に形成されており、下ハーフ６２に形成されたテーブル進入用開口部６５及び記録再生用開口部６６に対応した形状の切欠き部が、外周部から中央部に亘って連続して切欠き形成されている。
【００７５】
仕切り用シート９１の切欠き部９１ａ，９１ｂは、下ハーフ６２の記録再生用開口部６６、及び第１のシャッタ部材７１のテーブル進入用切欠き部７６ａの開口寸法よりやや小とされて切り欠かれている。したがって、仕切り用シート９１は、テーブル進入用切欠き部７６ａ及び記録再生用開口部６６の内側に僅かにそれぞれ突出されており、第１及び第２のシャッタ部材７１，７２に付着した塵埃が、カートリッジ本体６０内に進入することを確実に防止している。
【００７６】
また、仕切り用シート９１の外周部には、図１２に示すように、仕切り用シートの移動を規制するための複数の規制用突部９１ｃが一体に形成されている。仕切り用シート９１は、規制用突部９１ｃが、下ハーフ６２の内周部に形成された係合凹部９２に係合されることにより移動が規制された状態で所定の位置に配設される。
【００７７】
さらに、仕切り用シート９１は、第２及び第３のシャッタ部材７３．７４に重ねられて配設されたことによって、第２及び第３のシャッタ部材７２が下ハーフ６２から脱落することも防止している。
【００７８】
上述したように、シャッタ機構６８は、下ハーフ６２上に第２及び第３のシャッタ部材７２．７３や仕切り用シート９１を所定の位置に載置するのみで容易に組み付けることができるため、組立性の向上が図られている。
【００７９】
以上のように構成されたディスクカートリッジ２について、シャッタ機構６８がテーブル進入用開口部６５及び記録再生用開口部６６をそれぞれ開閉する動作を図面を参照して説明する。
【００８０】
まず、シャッタ機構６８は、図１４に示すように、第１、第２及び第３のシャッタ部材７１，７２，７３によって、カートリッジ本体６０の記録再生用開口部６５及びテーブル進入用開口部６６がそれぞれ閉塞されている。シャッタ機構６８は、記録再生装置側のシャッタ駆動ピンが第１のシャッタ部材７１の回動操作用穴７９に係合されて、第１のシャッタ部材７１が回動操作される。
【００８１】
シャッタ機構６８は、図１４及び図１５に示すように、第１のシャッタ部材７１が回動することによって、第２のシャッタ部材７２が図１２中矢印ｄ1 方向に連動して回動されるとともに、第３のシャッタ部材７３が図１２中矢印ｅ1 方向に連動して回動される。したがって、シャッタ機構６８は、図１３及び図１５に示すように、テーブル進入用開口部６６及び記録再生用開口部６５をそれぞれ開放する。
【００８２】
また、シャッタ機構６８は、第１のシャッタ部材７１が逆方向に回動されることによって、第２のシャッタ部材７２が図１２中矢印ｄ2 方向に連動して回動されるとともに、第３のシャッタ部材７３が図１２中矢印ｅ2 方向に連動して回動される。したがって、シャッタ機構６８は、第１、第２及び第３のシャッタ部材７１，７２，７３によって、テーブル進入用開口部６６及び記録再生用開口部６５をそれぞれ閉塞する。このとき、第２のシャッタ部材７２は、第３のシャッタ部材７３の外周部の一部に重なることによって、第１のシャッタ部材７１のテーブル進入用切欠き部７６ａを確実に閉塞する。
【００８３】
また、カートリッジ本体６０には、図９及び図１０に示すように、上ハーフ６１の主面上に、記録再生装置に対する装填方向を示す表示９３が設けられている。また、カートリッジ本体６０の下ハーフ６２には、幅方向の両側に、記録再生装置内のカートリッジ装填位置に位置決めするための位置決め用穴９４ａ，９４ｂがそれぞれ設けられている。さらに、図示しないが、カートリッジ本体６０には、光磁気ディスク７に記録された情報信号を誤って消去することを防止するための誤消去防止部材が、カートリッジ本体６０に設けられたガイド溝に移動可能に配設されている。また、カートリッジ本体６０の主面上に、収録内容等を示す例えば紙製の表示ラベル９５が貼り付けられている。
【００８４】
上述したように、ディスクカートリッジ２によれば、シャッタ機構６８を備えることにより、カートリッジ本体６０を小型化することができる。また、このディスクカートリッジ２のシャッタ機構６８によれば、より小さなスペースに回動可能に配設することができる。
【００８５】
なお、本発明に係るディスクカートリッジ１，２は、円盤状記録媒体として光磁気ディスクが適用されたが、光ディスク、磁気ディスクや、いわゆる ＤＶＤ（Digital Video Disk）等の複数のディスク基板を貼り合わせ構成される貼り合わせ型光ディスク等の他の円盤状記録媒体に適用されてもよいことは勿論である。
【００８６】
【発明の効果】
上述したように本発明に係るディスクカートリッジによれば、連続して形成された進入用開口部と記録及び／又は再生用開口部に、第１及び第２のシャッタ部材が回動自在に配設されたことによって、カートリッジ本体の小型化を実現することができる。また、円盤状記録媒体と上記カートリッジ本体の内方側に配設された第２のシャッタ部材との間に配設された仕切り用シートの切欠き部が上記記録及び／又は再生用開口部の開口内に突出して設けられることで、第１及び第２のシャッタ部材に付着した塵埃が、カートリッジ本体内に進入することを確実に防止することができる。
【図面の簡単な説明】
【図１】本発明に係るディスクカートリッジを示す斜視図である。
【図２】上記ディスクカートリッジが備えるシャッタ機構がテーブル進入用開口部及び記録再生用開口部を閉塞した状態を示す斜視図である。
【図３】上記ディスクカートリッジが備えるシャッタ機構がテーブル進入用開口部及び記録再生用開口部を示す斜視図である。
【図４】上記ディスクカートリッジを示す縦断面図である。
【図５】上記ディスクカートリッジを一部組み付けた状態で示す分解斜視図である。
【図６】上記ディスクカートリッジを示す分解斜視図である。
【図７】上記シャッタ機構がテーブル進入用開口部及び記録再生用開口部を閉塞した状態を示す平面図である。
【図８】上記シャッタ機構がテーブル進入用開口部及び記録再生用開口部を開放した状態を示す平面図である。
【図９】他のディスクカートリッジを示す斜視図である。
【図１０】他のディスクカートリッジを底面側から示す斜視図である。
【図１１】他のディスクカートリッジを示す縦断面図である。
【図１２】上記ディスクカートリッジが備えるシャッタ機構がテーブル進入用開口部及び記録再生用開口部を閉塞した状態を示す斜視図である。
【図１３】上記シャッタ機構がテーブル進入開口部及び記録再生用開口部を開放した状態を示す斜視図である。
【図１４】上記シャッタ機構がテーブル進入用開口部及び記録再生用開口部を閉塞した状態を示す平面図である。
【図１５】上記シャッタ機構がテーブル進入用開口部及び記録再生用開口部を開放した状態を示す平面図である。
【図１６】従来のディスクカートリッジを示す斜視図である。
【図１７】従来のディスクカートリッジを底面側から示す斜視図である。
【図１８】従来のディスクカートリッジが備える光磁気ディスクを示す縦断面図である。
【図１９】従来のディスクケースを示す斜視図である。
【図２０】従来のディスクケースを示す斜視図である。
【図２１】従来のディスクケースを示す縦断面図である。
【符号の説明】
１  ディスクカートリッジ、６，７  光磁気ディスク、８  カートリッジ本体、１５  テーブル進入用開口部、１６  記録再生用開口部、１８  シャッタ機構、２１  第１のシャッタ部材、２２  第２のシャッタ部材、２３  連結部材、２４  捻りコイルバネ
【図１】
0003997607.tif 000002
【図２】
0003997607.tif 000003
【図３】
0003997607.tif 000004
【図４】
0003997607.tif 000005
【図５】
0003997607.tif 000006
【図６】
0003997607.tif 000007
【図７】
0003997607.tif 000008
【図８】
0003997607.tif 000009
【図９】
0003997607.tif 000010
【図１０】
0003997607.tif 000011
【図１１】
0003997607.tif 000012
【図１２】
0003997607.tif 000013
【図１３】
0003997607.tif 000014
【図１４】
0003997607.tif 000015
【図１５】
0003997607.tif 000016
【図１６】
0003997607.tif 000017
【図１７】
0003997607.tif 000018
【図１８】
0003997607.tif 000019
【図１９】
0003997607.tif 000020
【図２０】
0003997607.tif 000021
【図２１】
0003997607.tif 000022